(57)【要約】画像情報及び／又は音声情報を入れ替え可能なテープ状記録媒体（１０）に記録する記録部（３）と、記録部（３）によって入れ替え可能なテープ状記録媒体（１０）に書き込まれた画像情報及び／又は音声情報をファイル化するファイル化部（５），（８）と、入れ替え可能なテープ状記録媒体（１０）に添設されたランダムアクセス可能な記憶部（２２）へファイルのファイル情報を非接触で書き込み及び読み出しをするファイル情報書き込み読み出し部（６）とを備えることで実現する。
2002086895.tif 000002
【特許請求の範囲】
【請求項１】
画像情報及び／又は音声情報を入れ替え可能なテープ状記録媒体に記録する記録手段と、
上記記録手段によって上記入れ替え可能なテープ状記録媒体に書き込まれた画像情報及び／又は音声情報をファイル化するファイル化手段と、
上記入れ替え可能なテープ状記録媒体に添設されたランダムアクセス可能な記憶手段へ上記ファイルのファイル情報を非接触で書き込み及び読み出しをするファイル情報書き込み読み出し手段とを備えること
を特徴とする情報処理装置。
【請求項２】
上記入れ替え可能なテープ状記録媒体に記録された画像情報及び／又は音声情報を再生する再生手段と、
上記ファイル情報書き込み読み出し手段で読み出されたファイル情報をファイルシステムとして記憶するファイルシステム記憶手段と、
上記ファイルシステムに応じて上記テープ状記録媒体に記録されたファイルを管理する管理手段とを備えること
を特徴とする請求の範囲第１項記載の情報処理装置。
【請求項３】
外部から送信される画像情報及び／又は音声情報を受信し、上記再生手段で再生された上記画像情報及び／又は音声情報を上記外部に送信する送受信手段とを備えること
を特徴とする請求の範囲第１項記載の情報処理装置。
【請求項４】
上記ファイルシステムを介してのアクセス、又は、上記ファイルシステムを介さないアクセスに応じて上記テープ状記録媒体に画像情報及び／又は音声情報を上記記録手段で記録するよう制御する制御手段を備え、
上記制御手段は、上記ファイルシステムを介さずに上記テープ状記録媒体に画像情報及び／又は音声情報の記録をする際、上記ファイルシステムに基づいて上記画像情報及び／又は音声情報の記録を制限するよう上記記録手段を制御すること
を特徴とする請求の範囲第２項記載の情報処理装置。
【請求項５】
全ファイルのタイムコード情報を取得するタイムコード情報取得手段を備え、
上記制御手段は、上記タイムコード情報取得手段によって取得されたタイムコード情報に基づいて、上記画像情報及び／又は音声情報の上記記録媒体への記録を制限するように上記記録手段を制御すること
を特徴とする請求の範囲第４項記載の情報処理装置。
【請求項６】
上記記録手段で上記画像情報及び／又は音声情報を記録している間、継続的にタイムコード情報を抽出するタイムコード情報抽出手段を備え、
上記制御手段は、上記タイムコード情報抽出手段によって抽出されたタイムコード情報と、上記タイムコード情報取得手段で取得手段で取得したタイムコード情報とを比較し、上記画像情報及び／又は音声情報の上記記録媒体への記録を制限するように上記記録手段を制御すること
を特徴とする請求の範囲第５項記載の情報処理装置。
【請求項７】
上記制御手段は、上記タイムコード情報抽出手段によって抽出されたタイムコード情報と、上記タイムコード情報取得手段で取得したタイムコード情報とが重複したことに応じて、上記画像情報及び／又は音声情報の上記記録媒体への記録を停止するように上記記録手段を制御すること
を特徴とする請求の範囲第６項記載の情報処理装置。
【請求項８】
上記制御手段は、上記ファイルシステムを介してのアクセスに応じて、上記記録媒体に記録されたファイルの上記記録媒体上の位置を示すタイムコード情報から上記記録媒体のファイル領域以外の記録領域があった場合、上記画像情報及び／又は音声情報をファイルとして記録するよう上記記録手段を制御すること
を特徴とする請求の範囲第４項記載の情報処理装置。
【請求項９】
上記制御手段は、上記記録媒体上の位置情報であるタイムコード情報から上記記録媒体上の記録領域に未記録領域があった場合、上記画像情報及び／又は音声情報を記録するよう上記記録手段を制御すること
を特徴とする請求の範囲第４項記載の情報処理装置。
【請求項１０】
上記テープ状記録媒体に記録されている上記画像情報及び／又は音声情報をファイル化する上記ファイル化手段へのファイル作成を指示するファイル作成命令を生成する命令生成手段を備え、
上記ファイル化手段は、既にファイルが記録されている上記記録媒体に新規ファイルを作成する場合、上記ファイルが作成されているファイル領域に拘わらず、上記命令生成手段によって生成された上記ファイル作成命令に応じて、上記画像情報及び／又は音声情報を新規ファイルとしてファイル化すること
を特徴とする請求の範囲第１項記載の情報処理装置。
【請求項１１】
上記ファイル化手段は、上記ファイル領域と重複した領域を有する新規ファイル領域に上記新規ファイルを作成すること
を特徴とする請求の範囲第１０項記載の情報処理装置。
【請求項１２】
上記ファイルは、ＧＯＰ（Ｇｒｏｕｐ  ｏｆ  Ｐｉｃｔｕｒｅ）単位の画像情報からなる画像ファイルであること
を特徴とする請求の範囲第１０項記載の情報処理装置。
【請求項１３】
上記テープ状記録媒体は、１対のリールに巻装されていること
を特徴とする請求の範囲第１項記載の情報処理装置。
【請求項１４】
上記テープ状記録媒体を駆動走行させる駆動走行手段と、
上記１対のリールに巻装された上記テープ状記録媒体に記録されたファイルの記録開始点における巻径を示す巻径情報を算出する巻径情報算出手段と、
上記テープ状記録媒体に上記ファイルとして記録された情報の上記ファイル内での位置を示すタイムコード情報と、上記巻径情報算出手段によって算出された上記巻径情報とを、上記ファイルと対応づけて記憶する記憶手段と、
上記記憶手段から読み出した上記タイムコード情報と、上記巻径情報とに基づいて上記駆動走行手段を制御し、上記情報に対するアクセス制御を行うアクセス制御手段とを備えること
を特徴とする請求の範囲第１３項記載の情報処理装置。
【請求項１５】
上記テープ状記録媒体に記録された上記タイムコード情報を抽出する抽出手段を備え、
上記アクセス制御手段は、上記抽出手段によってアクセスする上記情報に対応する上記タイムコードが抽出されるまで、上記駆動走行手段を制御して駆動走行させること
を特徴とする請求の範囲第１４項記載の情報処理装置。
【請求項１６】
画像情報及び／又は音声情報を入れ替え可能なテープ状記録媒体に記録し、
上記入れ替え可能なテープ状記録媒体に書き込まれた画像情報及び／又は音声情報をファイル化し、
上記入れ替え可能なテープ状記録媒体に添設されたランダムアクセス可能な記憶手段へ上記ファイルのファイル情報を非接触で書き込み、
上記記憶手段へ書き込まれた上記ファイルのファイル情報を、非接触で読み出すこと
を特徴とする情報処理方法。
【発明の詳細な説明】
技術分野
本発明は、テープ状記録媒体に記録された画像情報及び／又は音声情報をファイルとして管理する情報処理装置及び情報処理方法に関する。
背景技術
様々なデジタルデータを扱うコンピュータは、コンピュータ間でデータのやりとりをするためのネットワーク化が進んでいる。
ところで、テープ状磁気記録媒体（以下、磁気テープとも呼ぶ）を備えたビデオカセットを装着し、テープ状磁気記録媒体に画像情報、音声情報を記録したり、記録した画像情報、音声情報を再生したりするＶＴＲ（Ｖｉｄｅｏ  Ｔａｐｅ  Ｒｅｃｏｒｄｅｒ）は、テープ状磁気記録媒体が長時間記録可能であることや、ビデオカセットがリムーバルなメディアであり手軽に持ち運べることなどから、各方面で数多く使用されている。
したがって、上述のネットワークを利用し外部装置との画像情報、音声情報の転送を実現することでＶＴＲは、磁気テープ内の情報を自由にやりとりすることができることで、使用用途が大いに向上されるため、ＶＴＲのネットワーク化には強い要請があった。
これに応じ、ＶＴＲから、ネットワーク上の外部装置、例えば、コンピュータなどと、ＦＴＰ（Ｆｉｌｅ  Ｔｒａｎｓｆｅｒ  Ｐｒｏｔｏｃｏｌ）などの汎用プロトコルを用いて、画像情報、音声情報のやり取りをする手法が考案されている。
ネットワーク上の外部装置にデータを転送するには、転送するデータをファイル化し、ファイルシステムによってファイル管理を行う必要があるため、ユーザの視覚や聴覚によって画像情報や音声情報の検索が十分可能であったことから、従来、ファイルという概念のなかったＶＴＲにファイルシステムが導入された。
一般に、ファイルシステムは、記録媒体に記録したデータをファイル化し、ファイル名、ファイルサイズ、ファイル作成日、ファイル更新日などといった情報に基づいてファイルの読み出し処理、書き込み処理、削除処理、更新処理など、ファイル操作に関する処理を一括して管理する。
また、上述したように記録媒体に記録されたファイルをファイル単位で管理するファイルシステムは、通常、記録媒体のデータ記録領域をファイルが記録されている領域であるレコードエントリー（ＲＥ）領域と、何も記録されていない領域であるフリースペースリスト（ＦＳＬ）領域とに分割して管理を行っている。
ファイルシステムは、新規ファイルを作成する場合、まず、フリースペースリスト（ＦＳＬ）領域に空き領域があるかどうか検索をする。ファイルシステムは、フリースペースリスト（ＦＳＬ）領域に空き領域があった場合、その領域をレコードエントリー（ＲＥ）領域に登録し新規ファイルを作成すると共に、フリースペースリスト（ＦＳＬ）領域から削除するといった処理を行う。
しかし、ＶＴＲのようにテープメディアを記録媒体として使用する情報処理装置のファイルシステムでは、ファイル管理に必要となるシステムデータが、当該テープメディアの先頭位置に書き込まれているため、当該情報処理装置の起動時に、又は、テープメディアがリムーバルメディアの場合には、当該リムーバルメディアを情報処理装置に装着した直後に、テープメディアを必ず先頭位置まで巻き戻し、システムデータをメモリに読み込む操作が必要となるため、非常に手間がかかるといった問題がある。
また、例えば、ファイルの内容を書き換えた場合などには、テープメディアを先頭位置まで巻き戻し、システムデータを更新するか、テープメディアがリムーバルである場合は更新するシステムデータを一旦、不揮発性のメモリなどに記憶させ、テープメディアの取り出し時にテープを巻き戻して所定の位置に書き込む動作が必要となるため、非常に手間のかかるといった問題がある。
また、ＶＴＲは、ユーザによるコマンド入力に応じて磁気テープへシーケンシャルにアクセスすることが可能であるため、上述したようなファイルシステムを備えた場合、シーケンシャルなアクセスによって、つまりファイルシステム以外の経路を通してデータの読み出し処理、書き込み処理を行うことによって、磁気テープに記録されているファイルのデータ領域内に新たにデータの書き込み処理をしてしまう可能性があり、そのファイルデータを破壊してしまうといった問題がある。
さらにまた、ファイルシステムが管理するファイルを構成するデータはお互いに関連を有し、通常、独立しておらず、ファイルという単位とすることで始めて意味をなす独立したデータとなる。しかし、画像データからなる画像ファイルは、それ自身で完結した情報であるＧＯＰ（Ｇｒｏｕｐ  ｏｆ  Ｐｉｃｔｕｒｅ）が複数集まって構成されているため、ファイル単位としなくても意味をなす独立したデータがファイル中に存在することになる。
例えば、放送業務などで画像データを扱う場合は、まず、素材となる長時間の記録をした画像ファイルを生成し、素材から放送に必要となる画像のみ抽出し、抽出した画像データにさらに他の画像データを付加することで放送用の画像ファイルを作成している。つまり、所定の画像ファイルから独立した任意の画像データを抽出するなどして、新たな画像ファイルを作成している。
ところで、磁気テープ上に記録された情報、例えば、映像情報や音声情報から所望の情報を検索する場合、当該情報記録時に磁気テープ上の長手方向に設けられた所定のトラックに記録された当該情報の記録時間を示すタイムコード（ＴＣ）情報、あるいは、テープ走行サーボ制御に用いられるコントロール信号（ＣＴＬ）が用いられている。
例えば、ＶＴＲでは、ビデオカセットに備えられた磁気テープ上に記録された情報からユーザが所望する情報を検索する際、当該情報と共に記録されたタイムコード（ＴＣ）を利用して、当該情報が記録された位置まで磁気テープを走行させることで検索を行っていた。
しかし、磁気テープ上に記録されるタイムコード（ＴＣ）は、磁気テープ上に記録された映像情報や音声情報の磁気テープにおける絶対的な位置を示す情報ではなく、ユーザによってタイムコード（ＴＣ）の開始点が変更可能であったりするような、映像情報、音声情報の記録開始点を基準とした相対的な位置を示す情報である。
したがって、磁気テープ上には同一のタイムコード（ＴＣ）が存在することが頻繁に生ずるため、タイムコード（ＴＣ）情報のみを用いて、磁気テープに記録された情報からユーザが所望する情報を検索することは非常に困難であるといった問題があった。
そのため、ユーザは、上述したようなタイムコード（ＴＣ）情報に基づいた所望の情報の検索を、実際に磁気テープを再生させ視覚又は聴覚で確認することで確実なものとしていた。しかし、ユーザの視覚や聴覚に依存した情報検索は、確実ではあるが、非常に手間がかかり、多大な時間を要してしまうといった問題がある。
発明の開示
本発明の目的は、テープ状記録媒体に記録されたファイルを管理するファイルシステムへのアクセスを容易にした情報処理装置、ファイルシステムを用いてテープ状記録媒体に記録するファイルを管理すると共にファイルシステムを用いずにテープ状記録媒体へ情報を記録することができる情報処理装置、画像情報のように、例えば、ＧＯＰなどの独立したデータから構成されたデータがテープ状記録媒体に記録されている場合に、ファイルシステムに拘わらず自由にファイルを作成することができる情報処理装置、テープ状記録媒体に記録された情報に、ユーザの視覚や聴覚に頼ることなく確実にアクセスすることができる情報処理装置を提供することにある。
本発明に係る情報処理装置は、画像情報及び／又は音声情報を入れ替え可能なテープ状記録媒体に記録する記録手段と、上記記録手段によって上記入れ替え可能なテープ状記録媒体に書き込まれた画像情報及び／又は音声情報をファイル化するファイル化手段と、上記入れ替え可能なテープ状記録媒体に添設されたランダムアクセス可能な記憶手段へ上記ファイルのファイル情報を非接触で書き込み及び読み出しをするファイル情報書き込み読み出し手段とを備える。
この情報処理装置は、テープ状記録媒体に記録したファイルのファイル情報をランダムアクセス可能な記憶手段からファイル情報書き込み読み出し手段によって容易に取得できる。
本発明に係る情報処理方法は、画像情報及び／又は音声情報を入れ替え可能なテープ状記録媒体に記録し、上記入れ替え可能なテープ状記録媒体に書き込まれた画像情報及び／又は音声情報をファイル化し、上記入れ替え可能なテープ状記録媒体に添設されたランダムアクセス可能な記憶手段へ上記ファイルのファイル情報を非接触で書き込み、上記記憶手段へ書き込まれた上記ファイルのファイル情報を、非接触で読み出すことを特徴とする。
この情報処理方法は、テープ状記録媒体に記録したファイルのファイル情報をランダムアクセス可能な記憶手段から容易に取得できる。
発明を実施するための最良の形態
以下、本発明に係る情報処理装置及び情報処理方法の実施の形態を図面を参照にして詳細に説明する。
本発明は、図１にブロック図として示したビデオテープレコーダ（以下、ＶＴＲとする）に適用される。本発明の実施の形態として示すＶＴＲは、テープ状磁気記録媒体（以下、磁気テープと呼ぶ）を備えたビデオカセットを当該ＶＴＲが備える図示しないビデオカセット装着部に装着させ、映像信号、音声信号の上記磁気テープへの記録、又は、上記磁気テープからの再生をファイルシステムによるファイル管理によって行ったり、ファイルシステムを介さずに行うことができる装置である。磁気テープへ記録する映像信号は、所定のネットワークを介して図示しない外部装置から入力され、磁気テープから再生した映像信号は、所定のネットワークを介して図示しない外部装置へ出力される。
ＶＴＲは、ネットワークインターフェース（ネットワークＩ／Ｆとも呼ぶ）１と、バッファメモリ２と、ＶＴＲシステム３と、コントロールパネル４と、ファイルシステム制御部５と、エンコーダ／デコーダ（以下、ＥＮＣ／ＤＥＣと呼ぶ）６と、ファイルシステム用メモリ７と、ＣＰＵ８とを備えている。
ネットワークインターフェース１は、当該ＶＴＲと、外部装置とをネットワークを介して接続するためのインターフェースである。当該ＶＴＲには、外部装置からネットワークインターフェース１を介して、映像信号、音声信号が入力される。
ＶＴＲが当該ネットワークインターフェース１を介して接続されるネットワークは、例えば、ＬＡＮ（Ｌｏｃａｌ  Ａｒｅａ  Ｎｅｔｗｏｒｋ）などであり、ＯＳＩ（Ｏｐｅｎ  Ｓｙｓｔｅｍｓ  Ｉｎｔｅｒｃｏｎｎｅｃｔｉｏｎ）参照モデルのデータリンク層の一部と、物理層をカバーするプロトコルとしてＥｔｈｅｒｎｅｔ（登録商標）を用い、ネットワーク層、トランスポート層をカバーするプロトコルとしてＴＣＰ（Ｔｒａｎｓｍｉｓｓｉｏｎ  Ｃｏｎｔｒｏｌ  Ｐｒｏｔｏｃｏｌ）／ＩＰ（Ｉｎｔｅｒｎｅｔ  Ｐｒｏｔｏｃｏｌ）を用い、さらに、セッション層、プレゼンテーション層、アプリケーション層をカバーするプロトコルとしてＦＴＰ（Ｆｉｌｅ  Ｔｒａｎｓｆｅｒ  Ｐｒｏｔｏｃｏｌ）を用いることで映像情報、音声情報を送受信できる。
ネットワークインターフェース１は、例えば、ネットワーク接続用の専用基板であるＮＩＣ（Ｎｅｔｗｏｒｋ  Ｉｎｔｅｒｆａｃｅ  Ｃａｒｄ）であり、データ転送速度が１０Ｍｂｐｓ、１００Ｍｂｐｓ、さらには１Ｇｂｐｓの高速データ伝送に対応したＬＡＮケーブルを接続可能なコネクタを備えている。
ネットワークインターフェース１から入力された映像信号、音声信号は、後段のバッファメモリ２に送出され、一時的にバッファリングされ、さらにＶＴＲシステム部３に送出される。
また、後述するようにして再生時において、ＶＴＲシステム部３で再生された映像信号、音声信号は、バッファメモリ２に出力され一時的にバッファリングされ、後段のネットワークインターフェース１を介して外部装置へ送出される。
ネットワークインターフェース１は、ネットワークを介して外部装置から送信されるファイルシステム制御部５へのコマンド、例えば、ＦＴＰコマンドなどをファイルシステム制御部５へ送出する。
ＶＴＲシステム部３は、磁気テープを備えたビデオカセット１０を図示しないビデオカセット装着部に装着し、上述したバッファメモリ２から送出された映像信号、音声信号の磁気テープへの記録、磁気テープ上に記録された映像信号、音声信号の再生を実行する。
ＶＴＲシステム部３は、装着されたビデオカセット１０の磁気テープを走行駆動させる磁気テープ駆動部と、バッファメモリ２から入力された映像信号、音声信号を磁気テープへ記録させるために最適な所定の信号形式に変換する記録信号処理、及び、磁気テープに記録された映像信号、音声信号を再生して所定の信号形式に変換する再生信号処理を実行する信号処理部とを備えている。
磁気テープ駆動部は、例えば、ビデオカセット１０が図示しない装着部に装着されると、テープローディング機構によってビデオカセット１０の筐体（以下、ビデオカセット１０の筐体をカセットハーフと呼ぶ）内から、図２に示すように磁気テープ１１を引き出す。引き出された磁気テープ１１は、供給リール（以下、Ｓリールと呼ぶ）１２からテープガイド１３を経由し、図示しない記録用磁気ヘッドと、再生用磁気ヘッドとを有する回転ドラム１４に既定の巻き付け角度で且つ一定のテンションにて巻き付けられ、磁気テープ１１を既定の速度で走行させるキャプスタン１５と、ピンチローラ１６とに挟まれた経路を通過して、巻き取りリール（以下、Ｔリールと呼ぶ）１７へと到達する。
Ｓリール１２、キャプスタン１５、Ｔリール１７には、それぞれを回転駆動させる専用の動力部である図示しないＳリールモータ、キャプスタンモータ、Ｔリールモータがそれぞれ備えられている。
Ｓリールモータ、キャプスタンモータ、Ｔリールモータには、それぞれ図示しないＦＧ（周波数発生器）が備えられており、各モータの回転情報が検出され、検出されたモータの回転情報は、ファイル情報の１つである巻径情報を算出する際に用いられる。
磁気テープ駆動部のＳリール１２、回転ドラム１４、キャプスタン１５、Ｔリール１７は、ＣＰＵ８によってそれぞれを駆動する図示しないモータが制御されることで磁気テープ１１を駆動走行させる。
信号処理部は、記録時に、バッファメモリ２から入力された映像信号に、例えば、ＭＰＥＧ（Ｍｏｖｉｎｇ  Ｐｉｃｔｕｒｅ  Ｅｘｐｅｒｔ  Ｇｒｏｕｐ）による圧縮符号化をし、圧縮符号化した映像信号、及び、バッファメモリ２から入力された音声信号にリードソロモン積符号による誤り訂正符号化を施して、誤り訂正コードを付加し、さらに同期データ、ＩＤデータを付加した後、チャンネルコーディングされたシリアルデータを形成して、これを記録用磁気ヘッドによって磁気テープ１１上の所定のトラック、映像信号はＶＩＤＥＯトラック、音声信号はＡＵＤＩＯトラックに記録をする。信号処理部は、ＭＰＥＧによる圧縮符号化を行っており、圧縮符号化された映像信号を１ＧＯＰ毎に磁気テープ１１に記録をしている。
磁気テープ１１上の長手方向に設けられたコントロールトラックには、テープ走行サーボ制御に用いられるコントロール信号が記録され、タイムコード（ＴＣ）トラックには、磁気テープ１１に記録された映像信号の位置情報であるタイムコード（ＴＣ）が記録される。
また、信号処理部は、再生時に、再生用磁気ヘッドによって読み出された映像信号、音声信号を記録時とは逆の処理を施し、誤り訂正がなされた音声信号をバッファメモリ２へ出力し、同じく誤り訂正がなされた映像信号を伸長復号してバッファメモリ２へ出力する。
ＶＴＲシステム３は、後述するコントロールパネル４からのコマンド入力に応じて、又は、後述するファイルシステム制御部５からの指令を受けたＣＰＵ８のファイルシステムに基づいた制御に応じて、磁気テープ駆動部が磁気テープを所定の速度で走行させると共に、信号処理部が磁気テープ１１へ映像信号、音声信号の記録又は磁気テープ１１から映像信号、音声信号を再生する。
コントロールパネル４は、ユーザが指定するＶＴＲシステム部３の所定の動作を制御するためのコマンドを入力するための操作部である。コントロールパネル４から入力されるコマンドはＶＴＲシステム部３に送出される。ユーザは、例えば、コントロールパネル４から磁気テープ１１への映像信号、音声信号の記録を指示する記録コマンドや、磁気テープ１１へ記録されている映像信号、音声信号の再生を指示する再生コマンドや、磁気テープ１１を早送りをする早送りコマンドや、磁気テープ１１を巻き戻す巻き戻しコマンドなどを入力する。コントロールパネル４から入力するコマンドによって、後述するファイルシステムによる管理を経由せずに磁気テープ１１へ所定の映像信号、音声信号を記録することができる。
続いて、ＶＴＲのファイルシステムのファイル管理を担うファイルシステム制御部５、ＥＮＣ／ＤＥＣ６、ファイルシステム用メモリ７、ＣＰＵ８の各機能について説明する前に、本発明の実施の形態として示すＶＴＲのファイルシステムによるファイル管理の概略について説明する。
ファイルシステムは、磁気テープ１１に記録された映像信号、音声信号をファイル化し、ファイル情報に基づいて、ファイル管理をするシステムである。ファイルシステムのファイル管理に用いるファイル情報は、当該ファイルが記録されている各ビデオカセット１０毎に、ビデオカセット１０に貼り付けられた後述するメモリタグ２５に記憶保持される。
メモリタグ２５に記憶保持されているファイル情報は、ビデオカセット１０が当該ＶＴＲの図示しないビデオカセット装着部に装着されると、メモリタグ２５から非接触でＥＮＣ／ＤＥＣ６へファイル情報が送信され、送信されたファイル情報は、ファイルシステム用メモリ７に格納される。このファイルシステム用メモリ７によって格納されたファイル情報は、ファイルシステム制御部５の指令によってＣＰＵ８によって管理され、例えば、ファイルの新規作成、ファイルの更新などが実行される。ファイルシステム用メモリ７のファイル情報が変更、追加、削除がなされると、今度は逆に、ＥＮＣ／ＤＥＣ６からメモリタグ２５へファイル情報が送信され、メモリタグ２５のファイル情報も随時更新される。
ファイルシステム制御部５は、ネットワークインターフェース１を介して、外部装置から送信されるファイル制御のためのコマンド、例えば、ファイル転送などに関するＦＴＰコマンドを受信し、コマンドの指令に応じてＣＰＵ８を制御し、ファイルシステム用メモリ７に記憶されているファイルシステムの内容の更新、削除、新規ファイルの追加などの処理を実行させる。
ここで、ビデオカセット１０に貼り付けられたファイル情報を記憶保持するためのメモリタグ２５について説明をする。
メモリタグ２５は、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）のような記録保持動作が不要で書き換え可能なＩＣメモリ２２と、後述するコイルアンテナ２４で受信された信号をエンコードしてＩＣメモリ２２に書き込み、ＩＣメモリ２２に記憶されている情報を読み出して所定の信号にデコードして後述するコイルアンテナ２４へ送出するエンコーダ／デコーダ（以下、ＥＮＣ／ＤＮＣと呼ぶ）２３と、電磁的に電源の供給及び信号の送受信を行うためのコイルアンテナ２４などを内蔵しており、ＶＴＲのＥＮＣ／ＤＥＣ６と非接触でファイル情報の送受信を行う。メモリタグ２５は、ビデオカセット１０のカセットハーフに貼り付けられる、例えば、磁気テープ１１に記録された内容のタイトルなどが手書き或いはプリントなどにより書き込まれるラベル２１に内蔵されている。
ファイル情報は、このビデオカセット１０のカセットハーフに貼り付けられたメモリタグ２５のＩＣメモリ２２に映像信号の磁気テープ１１への記録時に書き込まれる。また、ビデオカセットを図示しないビデオカセット装着部に装着すると、ＩＣメモリ２２に記憶されているファイル情報が読み出され、ファイルシステム用メモリ７にファイルシステムとして展開される。
以下に、メモリタグ２５のＩＣメモリ２２に記憶される具体的なファイル情報を示す。磁気テープ１１上に記憶された各ファイルのファイル情報は、当該ファイルの名称であるファイル名情報と、当該ファイルの磁気テープ１１上の相対的な位置情報であるファイル開始タイムコード（ＴＣ）情報と、当該ファイルの磁気テープ１１上の絶対的な位置情報であるファイル開始Ｔ側巻径情報と、当該ファイルの磁気テープ１１上の相対的な位置情報であるファイル終了タイムコード（ＴＣ）情報と、当該ファイルの磁気テープ１１上の絶対的な位置情報であるファイル終了Ｔ側巻径情報と、当該ファイルのデータサイズを示すファイルサイズ情報と、当該ファイルに対する実行可能な操作区分、例えば、所有、読み込み、書き込み、実行などを示したファイルアクセス権限情報と、当該ファイルである映像信号の映像方式、例えば、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）、ＰＡＬ（Ｐｈａｓｅ  Ａｌｔｅｒｎａｔｉｏｎ  ｂｙ  Ｌｉｎｅ）といった情報を示すシステム情報と、ＭＰＥＧ（Ｍｏｖｉｎｇ  Ｐｉｃｔｕｒｅ  Ｅｘｐｅｒｔｓ  Ｇｒｏｕｐ）圧縮された画像のビットレートをストリーム情報と、当該ファイルが作成された日付を示すファイル作成日情報と、当該ファイルが作成された時間を示すファイル作成時間情報と、当該ファイルが更新された日付を示すファイル更新日情報と、当該ファイルが更新された時間を示すファイル更新時間情報などである。
エンコーダ／デコーダ６は、図示しないコイルアンテナを有しており、非接触型のメモリタグ２５内のコイルアンテナ２４との間で電磁結合をすることで、メモリタグ２５へ電力供給を行うと共に、メモリタグ２５とファイル情報の送受信を行う。
ＥＮＣ／ＤＥＣ６は、メモリタグ２５のコイルアンテナ２４から送信されたファイル情報をエンコードして後段のファイルシステム用メモリ７へ送出する。またＥＮＣ／ＤＥＣ６は、後述するファイルシステム制御部５の制御によりファイルシステムの内容が更新、新規追加された場合に該当するファイル情報を読み出して所定の信号へデコードし、図示しないコイルアンテナから、メモリタグ２５のコイルアンテナ２４へとファイル情報を送信する。
ファイルシステム用メモリ７は、例えば、書き込み、読み出し自在なＲＡＭ（Ｒａｎｄｏｍ  Ａｃｃｅｓｓ  Ｍｅｍｏｒｙ）などであり、ＥＮＣ／ＤＥＣ６にメモリタグ２５から送信された上述したファイル情報をファイルシステムとして格納する。
ＣＰＵ８は、ＶＴＲの各部を統括的に制御する。また、ＣＰＵ８は、ファイルシステム制御部５からの指令によりファイルシステム用メモリ７に記憶されているファイルシステム内のファイル情報を読み取って、それを基にＶＴＲシステム部３の動作を制御したり、ファイルシステム用メモリ７に記憶されているファイルシステムの内容の更新、削除、新規追加などをする。
続いて、本発明の実施の形態として示すＶＴＲのファイル送信時の動作と、ファイル受信時の動作について説明をする。
まず、図３に示すフローチャートを用いて、ＶＴＲのファイル送信時の動作について説明をする。
ステップＳ１において、ＣＰＵ８は、例えば、ネットワークインタフェース１を介して図示しない外部装置からファイルシステム制御部５に送信されたファイル名情報を、ファイルシステム用メモリ７から検索する。
ステップＳ２において、ＣＰＵ８は、ファイルシステム用メモリ７を検索して、ステップＳ１で検索したファイル名情報に対応したファイルのファイル開始タイムコード（ＴＣ）を取得する。
ステップＳ３において、ＣＰＵ８は、ＶＴＲシステム３の磁気テープ駆動部を制御して、磁気テープ１１上にある、ステップＳ２で取得したファイル開始タイムコード（ＴＣ）の少し手前のプリロール点にＣｕｅ  Ｕｐする。
ステップＳ４において、ＣＰＵ８は、ＶＴＲシステム３を制御して磁気テープ１１を再生するよう制御して、当該ファイルのファイルデータを再生し送信を開始させる。ファイルデータが送信されている際、タイムコード（ＴＣ）は常に監視されている。
ステップＳ５において、ＣＰＵ８は、監視しているタイムコード（ＴＣ）が、ファイル終了タイムコード（ＴＣ）であるかどうかを判断する。ファイル終了タイムコード（ＴＣ）であった場合は工程を終了し、ファイル終了タイムコードでない場合は、ＶＴＲシステム３を制御し、磁気テープ１１を再生して当該ファイルのファイルデータの送信を継続して実行させる。
次に、図４に示すフローチャートを用いてＶＴＲのファイル受信時の動作について説明をする。
ステップＳ１１において、ＣＰＵ８は、外部装置から送信されるファイルのファイル名をネットワークインターフェース１、ファイルシステム制御部５を介して受信し、受信したファイル名を保持する。
ステップＳ１２において、ＣＰＵ８は、インターフェース１を介して受信し、バッファメモリ２に蓄積されたファイルデータが所定の量となったことに応じて、ＶＴＲシステム３に記録（ＲＥＣ）、あるいは、編集（ＡＳＳＥＭＢＬＥ等）の指示を出し、受信したファイルデータの磁気テープ１１への記録を開始させる。ＣＰＵ８は、磁気テープ１１への記録開始と同時に記録開始タイムコード（ＴＣ）を保持し、磁気テープ１１へのファイルデータの記録中は常にタイムコード（ＴＣ）をカウントして、磁気テープ１１のタイムコード（ＴＣ）トラックへタイムコード（ＴＣ）を書き込むようにＶＴＲシステム３を制御する。
ステップＳ１３において、ＣＰＵ８は、外部装置からのファイルデータの送信が終了したかどうかを判断し、送信が終了した場合には工程をステップＳ１４へと進め、送信が終了していない場合は、ＶＴＲシステム３の記録動作をそのまま継続させる。
ステップＳ１４において、ＣＰＵ８は、外部装置からのファイルデータの送信が終了したことに応じて終了タイムコード（ＴＣ）を取得し、ＶＴＲシステム３を制御して記録動作を停止させる。
ステップＳ１５において、ＣＰＵ８は、保持していたファイル名情報、開始タイムコード（ＴＣ）、終了タイムコード（ＴＣ）、記録サイズ及びその他の情報から新規ファイルを作成し、ファイルシステム用メモリ７のファイル情報を更新する。
ステップＳ１６において、ＣＰＵ８は、エンコーダ／デコーダ６を制御して、ステップＳ１５で更新したファイルシ情報をデコードし所定の信号としてメモリタグ２５のコイルアンテナ２４へ送信する。これに応じて、メモリタグ２５のエンコーダ／デコーダ２３はコイルアンテナ２４で受信した上記所定の信号をエンコードしてファイル情報としてＩＣメモリ２２へと書き込む。
このようにして、本発明のＶＴＲは、ファイルのファイル情報をビデオカセット１０に貼り付けメモリタグ２５に記憶させ、ビデオカセット１０が装着されたことに応じて、ファイルシステム用メモリ７にファイルシステムとしてファイル情報を読み込み、ファイルシステム制御部５によってファイルシステムに基づいたファイル管理をすることで、例えば、ファイルの送信、ファイルの受信といったファイル処理においても、ファイルシステムに容易にアクセスすることができる。
次に、図５に示すフローチャートを用いて、本発明の実施の形態として示すＶＴＲにおいて、ファイルシステムを使用せずに直接、ＶＴＲシステム部３を制御して所定の情報を磁気テープ１１に記録する際の動作について説明をする。
まず、ステップＳ２１において、ユーザによってコントロールパネル４から磁気テープ１１上への所定の映像信号、音声信号の記録を指示する記録（ＲＥＣ）コマンドが入力され、入力された記録（ＲＥＣ）コマンドは、ＶＴＲシステム部３を介してＣＰＵ８に送出される。
ステップＳ２２において、ＣＰＵ８は、ファイルシステム用メモリ７に格納されているファイルシステムから、全ファイルのファイル開始タイムコード（ＴＣ）情報と、ファイル終了タイムコード（ＴＣ）情報とを取得する。
ステップＳ２３において、ＣＰＵ８は、記録（ＲＥＣ）コマンドが入力された磁気テープ１１上の位置がファイル領域であるかどうかを、ステップＳ２２で取得した全ファイルのファイル開始タイムコード（ＴＣ）情報と、ファイル終了タイムコード（ＴＣ）情報とから判断する。ＣＰＵ８は、ファイル領域であった場合はＶＴＲシステム部３の記録動作を停止させ、ファイル領域でなかった場合は工程をステップＳ２４へと進める。
ステップＳ２４において、ＣＰＵ８は、ＶＴＲシステム部３を制御して磁気テープ１１に映像信号、音声信号の記録を開始させる。
ステップＳ２５において、ＣＰＵ８は、ＶＴＲシステム部３で記録が実行されている間、磁気テープ１１のタイムコード（ＴＣ）トラックに記録されているタイムコード（ＴＣ）を抽出する。
ステップＳ２６において、ＣＰＵ８は、ステップＳ２５で抽出しているタイムコード（ＴＣ）と、ステップＳ２２で取得した全ファイルのファイル開始タイムコード（ＴＣ）情報と、ファイル終了タイムコード（ＴＣ）情報とを比較して、現在再生がされている磁気テープ１１上の位置がファイル領域であるかどうかの判断をする。ＣＰＵ８は、ファイル領域であった場合は、ＶＴＲシステム部３の記録動作を停止させ、ファイル領域でなかった場合は工程をステップＳ２７へと進める。
ステップＳ２７において、ＣＰＵ８は、ＶＴＲシステム部３による磁気テープ１１への記録動作中に、磁気テープ１１への記録動作を停止させるコマンドである停止（ＳＴＯＰ）コマンドがコントロールパネル４からユーザによって入力されたかどうかを判断する。ＣＰＵ８は、停止（ＳＴＯＰ）コマンドが入力された場合はＶＴＲシステム部３の記録動作を停止させ、停止（ＳＴＯＰ）コマンドが入力されなかった場合はＶＴＲシステム部３による記録動作が継続されるように制御する。
このようにして、本発明の実施の形態として示すＶＴＲは、ファイルシステムによって、磁気テープ１１へ記録する映像信号、音声信号を管理しているにもかかわらず、従来からＶＴＲで実行されているファイルシステムを介さずにＶＴＲシステム部３を直接制御して磁気テープ１１へ記録する記録動作を実行することができる。
次に、本発明の実施の形態として示すＶＴＲにおいて、画像データなどの独立したデータがビデオカセット１０が備える磁気テープ１１に記録されている場合に、ファイルシステムに拘わらず自由にファイルを作成する際の動作について説明をする。
まず、図６に示したフローチャートを用いて、本発明の実施の形態として示すＶＴＲにおいて、ファイルシステムに基づいてビデオカセット１０が備える磁気テープ１１に所定の情報を記録し、ファイルを作成する動作について説明をする。
ステップＳ３１において、ファイルシステム制御部５は、外部装置から転送される所定のファイルを磁気テープ１１に記録させるためのコマンドであるＳＴＯＲＥコマンド、又は、所定のファイルを磁気テープ１１の空き領域に追加して書き込ませるコマンドであるＡＰＰＥＮＤコマンドをネットワークインターフェース１を介して受信する。
ステップＳ３２において、ファイルシステム制御部５はＣＰＵ８を制御して、ファイルシステム用メモリ７に記憶されているファイル情報を取得する。例えば、図７Ａに示すように磁気テープ１１には、あらかじめファイルＸが記録されていたとすると、ＣＰＵ８はファイルＸのファイル情報を取得する。
ステップＳ３３において、ＣＰＵ８は、ステップＳ３２で取得したファイル情報に基づいて、ＶＴＲシステム部３を制御して磁気テープ１１のファイル領域以外の位置にＣｕｅ  Ｕｐする。例えば、ＣＰＵ８は、図７Ａに示すファイルＸのファイル領域以外にＣｕｅ  Ｕｐすることになる。
ステップＳ３４において、ＣＰＵ８は、ＶＴＲシステム部３を制御してＣｕｅ  Ｕｐした位置から、ネットワークインターフェース１を介して外部装置から転送される所定のデータの記録を開始する。
ステップＳ３５において、ＣＰＵ８は、磁気テープ１１上のタイムコード（ＴＣ）を抽出する。
ステップＳ３６において、ＣＰＵ８は、ステップＳ３５で抽出したタイムコード（ＴＣ）と、ステップＳ３２で取得したファイル情報とを比較して、現在、データを記録している磁気テープ１１上の位置がファイル領域であるかどうか判断をする。ファイル領域である場合は工程をステップＳ３７へと進め、ファイル領域でない場合は工程をステップＳ３８へと進める。
ステップＳ３７において、ＣＰＵ８は、磁気テープ１１の現在の位置がファイル領域であるからデータの記録を中止し、データの転送がエラーとなったことを通知するメッセージを外部装置に送信する。
ステップＳ３８において、ＣＰＵ８は、データの転送が終了して磁気テープ１１への記録が終了した場合は工程をステップＳ３９へと進め、データの転送が終了していない場合はタイムコード（ＴＣ）を抽出しながらデータの転送を継続させる。
ステップＳ３９において、ＣＰＵ８は、ＶＴＲシステム部３を制御して磁気テープ１１に記録したデータのファイルを作成する。例えば、図７Ｂに示すようにファイルＹが作成されたとすると、ファイルＹは、あらかじめ磁気テープ１１上に記録されていたファイルＸの領域以外のデータ記録領域に書き込まれることになる。
作成されたファイルのファイル情報は、ファイルシステム制御部５の制御に応じて、ＣＰＵ８によってファイルシステム用メモリ７に書き込まれる。
このように、ファイルシステムを用いることで、磁気テープ１１には、ファイルＸのファイル領域以外に新たなファイルが作成されることになる。
続いて、図８に示すフローチャートを用いて、本発明の実施の形態として示すＶＴＲにおいて、ビデオカセット１０が備える磁気テープ１１に既に記録された所定の情報をファイルシステムに拘わらず自由にファイル化してファイルを作成する際の動作について説明する。
磁気テープ１１には、例えば、図９Ａに示すようにファイルＡとしてファイル化された映像信号があらかじめ記録されているとする。また、磁気テープ１１上にはコントロールパネル４からの指示によってファイルシステムを用いずに映像信号が記録されているとする。
まず、ステップＳ４１において、ファイルシステム制御部５は、図示しない外部装置からネットワークインターフェースを介して送信される作成するファイルに与えるファイル名情報を受信し、ＣＰＵ８に受信したファイル名情報を送出する。例えば、ＣＰＵ８は、ファイルＢというファイル名情報を取得する。
ステップＳ４２において、ＣＰＵ８は、ＶＴＲシステム部３を制御して、磁気テープ１１を走行させファイル開始点となる位置にＣｕｅ  Ｕｐする。例えば、図９Ｂに示すようにファイルＢのファイル開始点は、ファイルＡ内に”ＢＳ”として示した位置であったとすると、”ＢＳ”の位置にＣｕｅ  Ｕｐする。Ｃｕｅ  Ｕｐされると工程はステップＳ４３へと進む。
ステップＳ４３において、ＣＰＵ８は、Ｃｕｅ  Ｕｐしたファイルのタイムコード（ＴＣ）と、Ｔリール１７の巻径情報を取得し、それぞれファイル開始タイムコード（ＴＣ）情報、ファイル開始Ｔ側巻径情報とする。
ステップＳ４４において、ＣＰＵ８は、ＶＴＲシステム部３を制御して、磁気テープ１１を走行させファイル終了点となる位置にＣｕｅ  Ｕｐする。例えば、図９Ｂに示すようにファイルＢのファイル終了点は、”ＢＥ”として示した位置であったとすると、”ＢＥ”の位置にＣｕｅ  Ｕｐする。Ｃｕｅ  Ｕｐされると工程はステップＳ４５へと進む。
ステップＳ４５において、ＣＰＵ８は、Ｃｕｅ  Ｕｐしたファイルのタイムコード（ＴＣ）と、Ｔリール１７の巻径情報を取得し、それぞれファイル終了タイムコード（ＴＣ）情報、ファイル終了Ｔ側巻径情報とする。
ステップＳ４６において、ＣＰＵ８は、現在の日付と、時間とを取得する。
ステップＳ４７において、ＣＰＵ８は、磁気テープ１１の”ＢＳ”の位置から”ＢＥ”の位置に記録されているデータをファイルＢとする。
このようにして作成されたファイルＢは、図９Ｂに示すように磁気テープ１１上の”ＢＳ”の位置から”ＡＥ”の位置に記録されている映像信号がファイルＡと重複されたものとなり、ファイルシステムに拘わらずファイルが作成される。
これにより、例えば、図１０に示すように長時間記録された映像ファイル３０を、短い時間の映像ファイル３１、静止画像ファイル３２というように使い分けることができる。
続いて、本発明の実施の形態として示すＶＴＲにおいて、ビデオカセット１０が備える磁気テープ１１にファイルシステムによってファイル化されて記録された所望の情報（所望のファイル）へアクセスする際の動作について説明をする。
従来のＶＴＲでは、磁気テープ１１上に所定の情報と共に記録されたタイムコード（ＴＣ）と、ユーザの視覚や聴覚とを用いて所望の情報へのアクセスを実行していた。
本発明の実施の形態として示すＶＴＲでは、従来から用いられてるタイムコード（ＴＣ）の他に、磁気テープ１１のＳリール１２、Ｔリール１７の巻径情報を用いてファイルシステムによりファイル化された所望の情報（所望のファイル）へのアクセスを行う。
そこで、まず、本発明の実施の形態として示すＶＴＲでのファイルアクセス動作時に必要となるＳリール１２、Ｔリール１７の巻径情報の求め方について説明をする。
巻径情報は、タイムコード（ＴＣ）情報と同様にファイルシステムとしてファイルシステム用メモリ７に記憶されるファイル情報の１つであり、タイムコード（ＴＣ）情報が、磁気テープ１１上に記録されたファイルの相対的な位置を示す情報であるのに対し、巻径情報は磁気テープ１１上に記録されたファイルの絶対的な位置を示す情報である。巻径情報は、ファイル作成時にＣＰＵ８によって生成され、ファイル情報としてファイルシステム用メモリ７に記憶される。
磁気テープ１１を低速、例えば、再生動作させるには、磁気テープ１１の走行を一定の速度で安定に走行させる必要があるため、磁気テープ１１を走行させるキャプスタン１５に磁気テープ１１をピンチローラ１６で圧着させ、キャプスタン１５と、Ｓリール１２と、Ｔリール１７を連動させて磁気テープ１１を走行させる。これに対し、磁気テープ１１を高速で走行させる場合は、ピンチローラ１６は、キャプスタン１５から離れ、その後はＳリール１２と、Ｔリール１７が連動することで磁気テープ１１を走行させる。このようにして、磁気テープ１１を走行させると、Ｓリール１２、Ｔリール１７の半径（以下、巻径とよぶ）は、時々刻々と変化することになる。
ところで、キャプスタン１５は、磁気テープ１１が巻き付くことがないため、磁気テープの移動量は、キャプスタン１５の回転数と軸径から容易に求めることができる。
したがって、ピンチローラ１６がキャプスタン１５に圧着した状態（以下、ＯＮモードともいう）、つまり磁気テープ１１の低速走行の際には、キャプスタン１５の回転数とキャプスタン１５の軸径からテープの移動量を求め、求めた移動量をリール１２、Ｔリール１７、それぞれの回転数×２πの値で割ることで、Ｓリール、Ｔリールの巻径を求めることができる。
また、ピンチローラ１６がキャプスタン１５から離れた状態（以下、ＯＦＦモードともいう）、つまり磁気テープ１１の高速走行の際には、以下に示す方法によってＳリール１２、Ｔリール１７の巻径を求めることができる。
Ｓリール１２の巻径をＲｓｏ、Ｔリール１７の巻径をＲｔｏとすると、磁気テープ１１の総量Ｔｖ（Ｔｏｔａｌ  Ｖｏｌｕｍｅ）は、巻径がＲｓｏの円の面積と、巻径がＲｔｏの円の面積とを足し合わせた面積を有する円の巻径である。したがって、（１）式のような関係が得られる。
π・Ｔｖ２＝π・Ｒｓｏ２＋π・Ｒｔｏ２    ・・・（１）
また、（１）式より（１）’式が得られる。
Ｔｖ２＝Ｒｓｏ２＋Ｒｔｏ２    ・・・（１）’
（１）式は、磁気テープ１１の投影面積が不変であることを考慮すると、任意の時刻におけるＳリール１２の巻径Ｒｓ、Ｔリール１７の巻径Ｒｔについても成り立つ。（１）’式に、巻径Ｒｓ、巻径Ｒｔを代入すると（１）’’式が得られる。
Ｔｖ２＝Ｒｓ２＋Ｒｔ２    ・・・（１）’’
ここで、Ｓリール１２の巻径Ｒｓと、Ｔリール１７の巻径Ｒｔとの比率をＲａｔｉｏ＝Ｒｔ／Ｒｓとすると、（２）式及び（３）式が得られる。
2002086895.tif 000003
以上より、Ｓリール１２の巻径Ｒｓ、Ｔリールの巻径Ｒｔは、磁気テープ１１の総量Ｔｖと、比率Ｒａｔｉｏとによって求めることができる。
図１１は、巻径Ｒｓ、Ｒｔを算出する際に必要な定数及び変数について記した図である。
磁気テープ１１の総量Ｔｖ及び比率Ｒａｔｉｏは、以下の（Ａ）〜（Ｃ）の工程を実行することで求められる。
（Ａ）  まず、ビデオカセット１０をＶＴＲの図示しない装着部に装着すると、ＣＰＵ８は、ＶＴＲシステム部３を制御し、磁気テープ１１をキャプスタン１５で走行させ、キャプスタンモータに備えられたＦＧ（周波数発生器）のカウント数ＳＲＣＦＧが｜ＳＲＣＦＧ｜＞ＳＲＣＧＦ１となった時点で、次式より基準となる総量Ｔｖｏを求める。
2002086895.tif 000004
（Ｂ）  さらに、ＣＰＵ８は、ＶＴＲシステム部３を制御し、磁気テープ１１をキャプスタン１５で走行させて、｜ＳＲＣＦＧ｜＞ＳＲＣＦＧ２となった時点で、次式より総量ＳＲｔｍｐを求める。
2002086895.tif 000005
算出された総量ＳＲｔｍｐが（４）式に示す範囲を満たす場合は次の工程へと進み、満たさない場合は、キャプスタン１５、Ｓリール１２、Ｔリール１７のそれぞれのＦＧでカウントされたＳＲＣＦＧ、ＳＲＳＦＧ、ＳＲＴＦＧの計測値をリセットして、（Ａ）の工程を再び繰り返す。
（Ｃ）  算出したＳＲｔｍｐが（４）式を満たしたので、Ｔｖｏ＝ＳＲｔｍｐとし、さらに磁気テープ１１をキャプスタン１５で走行させ、｜ＳＲＣＦＧ｜＞ＳＲＣＧＦ３となった時点で、次式より総量ＳＲｔｍｐを求める。
2002086895.tif 000006
算出された総量ＳＲｔｍｐが（５）式に示す範囲を満たさない場合は、キャプスタン１５、Ｓリール１２、Ｔリール１７のそれぞれのＦＧでカウントされたＳＲＣＦＧ、ＳＲＳＦＧ、ＳＲＴＦＧの計測値をリセットして、（Ａ）の工程を再び繰り返す。（５）式を満たす場合は総量Ｔｖ及び比率Ｒａｔｉｏを以下のように定める。
2002086895.tif 000007
以上のようにして、ビデオカセット１０がＶＴＲの図示しない装着部に装着されると、Ｓリール１２の巻径Ｒｓ、Ｔリール１７の巻径Ｒｔを算出するのに必要な総量Ｔｖ及び比率Ｒａｔｉｏが求められ、ＣＰＵ８に保持される。
＜ＯＦＦモードでの巻径Ｒｓ、Ｒｔの算出＞
ＣＰＵ８は、Ｓリール１２、Ｔリール１７のそれぞれのＦＧでカウントされたＳＲＳＦＧ、ＳＲＴＦＧの計測値をリセットし、磁気テープ１１をキャプスタン１５で走行させて、Ｒｗｉｎｄ＜｜ＳＲＳＦＧ｜、且つ、Ｒｗｉｎｄ＜｜ＳＲＴＦＧ｜になった時点で、次式より比率ｔｍｐを求める。
2002086895.tif 000008
算出されたｔｍｐが（６）式を満たさなかった場合、比率Ｒａｔｉｏは、以下に示すようになる。
2002086895.tif 000009
逆に算出されたｔｍｐが（６）式を満たした場合は、比率Ｒａｔｉｏ＝ｔｍｐとなり、Ｓリール１２の巻径Ｒｓ及びＴリール１７の巻径Ｒｔは以下に示すように求められる。
2002086895.tif 000010
一般に磁気テープをロール状に巻くと、磁気テープと磁気テープとの間には空気層が生じたり、テープ端がよれやすくなるため、テープの巻径が大きくなればなるほど、テープの巻径は誤差を含むことになる。また、ビデオカセット１０の磁気テープ１１は、主にテープ始めの付近にファイルが作成されることが多く、この場合、Ｓリール１２の磁気テープ１１の巻き付け量が多くなっているのでＳリール１２の巻径情報は誤差を含んでいる可能性が高くなる。したがって、本発明の実施の形態として示すＶＴＲでは巻径情報として、Ｔリール１７側の巻径情報を用いることとする。
以上のようにして巻径情報が得られることを前提とし、図１２に示すフローチャートを用い、本発明の実施の形態として示すＶＴＲの磁気テープ１１上に記録されたファイルへのアクセス動作について説明をする。
まず、ステップＳ５１において、ユーザは、アクセスを希望するファイルのファイル名と、当該ファイルの所望の位置のタイムコードを、例えば、コントロールパネル４から指定する。ＣＰＵ８は、指定されたファイル名より、ファイルシステム用メモリ７に記憶されている指定されたファイルのファイル開始Ｔ側巻径情報を読み出す。
ステップＳ５２において、ＣＰＵ８は、ステップＳ５１で読み出したファイル開始Ｔ側巻径情報に基づいて、ファイル開始Ｔ側巻径の近傍である−αの点、例えば、−１ｍｍ点に磁気テープ１１を走行させＣｕｅ  ＵｐするようＶＴＲシステム部３を制御する。
ステップＳ５３において、ＣＰＵ８は、Ｃｕｅ  Ｕｐ動作が終了したかどうかを判断し、終了した場合は工程をステップＳ５４へと進め、終了していない場合はそのままＣｕｅ  Ｕｐ動作が継続されるようにＶＴＲシステム部３を制御する。
ステップＳ５４において、ＣＰＵ８は、ＶＴＲシステム部３を制御して、磁気テープ１１を再生させ、ユーザによって指定されたタイムコード（ＴＣ）を検索する。
ステップＳ５５において、ＣＰＵ８は、磁気テープ１１が再生されることで抽出されるタイムコード（ＴＣ）が、ユーザによって指定された所望のタイムコード（ＴＣ）であるかどうかを判断し、所望のタイムコード（ＴＣ）であった場合は工程を終了し、所望のタイムコード（ＴＣ）でない場合は当該タイムコード（ＴＣ）を検索する工程を継続させる。
このようにして、ＶＴＲは、ファイル情報の１つとしてファイル開始Ｔ側巻径情報をファイルシステム用メモリ７に記憶し、ファイルへのアクセス時にタイムコード（ＴＣ）情報と、ファイル開始Ｔ側巻径情報とを用いることで、磁気テープ１１上の所望のファイルへのアクセスを確実に実行することができる。
なお、上述のＳリール１２の巻径Ｒｓ、及び、Ｔリール１７の巻径Ｒｔの算出方法は一例であって、これに限定されるものではなく様々な手法が適用可能である。
産業上の利用可能性
以上の説明からも明らかなように、本発明の情報処理装置は、記録手段によって画像情報及び／又は音声情報を入れ替え可能なテープ状記録媒体に記録し、ファイル化手段によって記録手段によって入れ替え可能なテープ状記録媒体に書き込まれた画像情報及び／又は音声情報をファイル化し、ファイル情報書き込み読み出し手段によって入れ替え可能なテープ状記録媒体に添設されたランダムアクセス可能な記憶手段へファイルのファイル情報を非接触で書き込み及び読み出しをすることでテープ状記録媒体に記録した画像情報及び／又は音声情報をファイル化して管理する際の、ファイルシステムへのアクセスを容易にすることを可能とする。
以上の説明からも明らかなように、本発明の情報処理装置は、ファイルシステムによってテープ状記録媒体へ記録するファイルを管理することが可能であると同時に、テープ状記録媒体上に記録されたファイルを意識することなくファイルシステムを用いずにテープ状記録媒体へ所定の画像情報及び／又は音声情報を記録することを可能とする。
以上の説明からも明らかなように、本発明の情報処理装置は、既にファイルが記録されたテープ状記録媒体に新規ファイルを作成する場合、ファイルが作成されているファイル領域に拘わらず、命令生成手段で生成されたファイル作成命令に応じて、ファイル作成手段が所定の画像情報及び／又は音声情報を新規ファイルとしてファイル化することで、テープ状記録媒体に記録された所定の画像情報及び／又は音声情報から自由にファイルを作成することを可能とする。
また、本発明の情報処理装置は、既にテープ状記録媒体に記録されているファイルの画像情報及び／又は音声情報を重複した新規ファイルを作成できるため、テープ状記録媒体の記録容量を有効に利用することを可能とする。
以上の説明からも明らかなように、本発明の情報処理装置は、従来から用いられているタイムコード情報に加え、巻装されているテープ状記録媒体の巻径情報を用いることで、ユーザの視覚や聴覚に依存しなくとも、確実にテープ記録媒体上に記録された所望のファイル内の画像情報及び／又は音声情報へアクセスすることを可能とする。
また、本発明の情報処理装置は、所望のファイル内の画像情報及び／又は音声情報へアクセスする際、まず、巻径情報を用いて、テープ状記録媒体に記録されたファイルのファイル記録開始点へアクセスするため、テープ状記録媒体を再生させタイムコード情報のみを用いたアクセスよりも、所望のファイル内の画像情報及び／又は音声情報へのアクセス時間を大幅に短縮することができる。
以上の説明からも明らかなように、本発明の情報処理方法は、画像情報及び／又は音声情報を入れ替え可能なテープ状記録媒体に記録し、入れ替え可能なテープ状記録媒体に書き込まれた画像情報及び／又は音声情報をファイル化し、入れ替え可能なテープ状記録媒体に添設されたランダムアクセス可能な記憶手段へファイルのファイル情報を非接触で書き込み、記憶手段へ書き込まれたファイル情報を非接触で読み出すことで、テープ状記録媒体に記録した画像情報及び／又は音声情報をファイル化して管理する際の、ファイルシステムへのアクセスを容易にすることを可能とする。
【図面の簡単な説明】
図１は、本発明の実施の形態として示すＶＴＲの要部構成を説明するためのブロック図である。
図２は、同ＶＴＲにおいて、磁気テープ駆動部の要部構成を説明するための図である。
図３は、同ＶＴＲにおいて、ファイル送信動作について説明するためのフローチャートである。
図４は、同ＶＴＲにおいて、ファイル受信動作について説明をするためのフローチャートである。
図５は、同ＶＴＲにおいて、ファイルシステムを使用しないで磁気テープに情報を書き込む際の動作について説明するためのフローチャートである。
図６は、同ＶＴＲにおいて、ファイルシステムを用いて記録媒体に情報を記録しファイルを作成する動作について説明するためのフローチャートである。
図７Ａは、同ＶＴＲにおいて、磁気テープに１つのファイルが記録されている様子を示す図である。
図７Ｂは、同ＶＴＲにおいて、図７Ａで示した磁気テープ上に新たに情報を記録しファイル化させた様子を示す図である。
図８は、同ＶＴＲにおいて、ファイルシステムを用いずに記録媒体に記録された情報からファイルを作成する動作について説明するためのフローチャートである。
図９Ａは、同ＶＴＲにおいて、磁気テープに既に記録された情報がファイル化された様子を示す図である。
図９Ｂは、同ＶＴＲにおいて、図９Ａで示したファイルの情報を重複して新規ファイルを作成する様子を示す図である。
図１０は、同ＶＴＲにおいて、作成されるファイルの一例を示した図である。
図１１は、同ＶＴＲにおいて、巻径情報を算出する際に用いる、定数及び変数について示した図である。
図１２は、同ＶＴＲにおいて、磁気テープ上の所定のファイルへアクセスする際の動作を説明するためのフローチャートである。
【図１】
2002086895.tif 000011
【図２】
2002086895.tif 000012
【図３】
2002086895.tif 000013
【図４】
2002086895.tif 000014
【図５】
2002086895.tif 000015
【図６】
2002086895.tif 000016
【図７Ａ】
2002086895.tif 000017
【図７Ｂ】
2002086895.tif 000018
【図８】
2002086895.tif 000019
【図９Ａ】
2002086895.tif 000020
【図９Ｂ】
2002086895.tif 000021
【図１０】
2002086895.tif 000022
【図１１】
2002086895.tif 000023
【図１２】
2002086895.tif 000024
【国際調査報告】
2002086895.tif 000025
2002086895.tif 000026
2002086895.tif 000027
2002086895.tif 000028
2002086895.tif 000029
2002086895.tif 000030